(57)【要約】【課題】  ＳＤデータのみを再生可能な装置であっても、ＨＤデータが記録されていることを容易に認識可能とする。【解決手段】  ＳＤ画像信号を画面内符号化のみを用いて符号化したＳＤデータと、ＨＤ画像データをＭＰＥＧ符号化した通常再生用データと画面内符号化のみにより符号化した高速再生用データとからなるＨＤデータとをテープから再生する再生手段と、画面内符号化された動画像データを復号する復号手段と、ＨＤデータの解像度をＳＤデータの解像度に変換する変換手段と、ＳＤデータを復号して出力する第１の再生モードと、ＨＤデータから高速再生用データを抽出して復号し、復号した高速再生用データの解像度をＳＤデータの解像度に変換して出力する第２の再生モードと切り替えるモード切り替え手段とを備える。【選択図】  図３
2005236643.tif 000002
【特許請求の範囲】
【請求項１】
第１の解像度の動画像データを画面内符号化のみを用いて符号化した第１の画像データ列と、前記第１の解像度よりも高い第２の解像度の動画像データを画面内符号化と画面間符号化とにより符号化した通常再生用データと前記通常再生用データの一部の画面を画面内符号化のみにより符号化した高速再生用データとからなる第２の画像データ列とが記録された記録媒体より、前記第１の画像データ列と第２の画像データ列とを再生する再生手段と、
画面内符号化された動画像データを復号する復号手段と、
前記第２の解像度の画像データを第１の解像度の画像データに変換する変換手段と、
前記再生手段により再生された前記第１の画像データ列を前記復号手段により復号して出力する第１の再生モードと、前記再生手段により再生された前記第２の画像データ列から前記高速再生用データを抽出して前記復号手段により復号し、前記復号した高速再生用データの解像度を前記変換手段により前記第１の解像度に変換して出力する第２の再生モードと切り替えるモード切り替え手段とを備える再生装置。
【請求項２】
前記再生手段により再生されたデータが前記第１の画像データ列と第２の画像データ列の何れであるかを判別する判別手段を備え、
前記モード切り替え手段は前記判別手段により前記第２の画像データ列であると判別された場合、前記記録媒体を前記高速再生時の速度で搬送するよう前記再生手段を制御して前記第２の再生モードに切り替えることを特徴とする請求項１記載の再生装置。
【請求項３】
前記第２の画像データ列における通常再生用データはＭＰＥＧ規格に従って符号化されていることを特徴とする請求項１記載の再生装置。
【請求項４】
前記復号手段は、前記第１の画像データ列と前記第２の画像データ列から抽出された高速再生用データとが供給される逆ジグザグ変換部、逆量子化部、及び逆ＤＣＴ部を有し、前記モード切り替え手段は前記第１の再生モードと第２の再生モードの切り替えに応じて、前記逆ジグザグ変換部、逆量子化部、及び逆ＤＣＴ部の処理を切り替えることを特徴とする請求項１記載の再生装置。
【発明の詳細な説明】
【技術分野】
【０００１】
本発明は再生装置に関し、特には、第１の解像度の画像データと第２の解像度の画像データとを記録媒体から再生する装置に関する。
【背景技術】
【０００２】
従来、画像データをデジタル信号として記録再生する装置としてデジタルＶＴＲが知られており、民生用のデジタルＶＴＲの規格として、ＤＶフォーマットが知られている。
【０００３】
ＤＶフォーマットでは、ＮＴＳＣなどの標準解像度（ＳＤ）の画像データをフレーム内符号化により符号化して記録再生するＳＤフォーマットに加え、ＡＴＶ（Ａｄｖａｎｃｅｄ  Ｔｅｌｅｖｉｓｉｏｎ  Ｓｙｓｔｅｍ）やＤＶＢ（Ｄｉｇｉｔａｌ  Ｖｉｄｅｏ  Ｂｒｏａｄｃａｓｔｉｎｇ）の規格に準じたＭＰＥＧ２ビデオ規格（ＩＳＯ／ＩＥＣ  １３８１８−１）に従って符号化した画像データを記録再生するフォーマットも規定されている（例えば、特許文献１参照）。
【０００４】
ＭＰＥＧ２規格では、動き補償フレーム間予測符号化を採用するため、より符号化効率が上がっており、高解像度（ＨＤ）の画像データも記録可能となる。
【０００５】
ＭＰＥＧでは、一つのＩピクチャと所定数のＰ，ＢピクチャからなるＧＯＰ構造を単位として符号化を行っている。Ｐ，Ｂピクチャはフレーム間符号化された画像データである。この様にＭＰＥＧ符号化して記録したＨＤデータを高速再生する場合、ヘッドが多数のトラックを跨って再生するため、ＧＯＰ構造のままデータが再生されず、正しく復号できない。そのため、ＨＤデータを記録する場合に、一連の動画像データから抽出したＨＤ解像度の画像データをフレーム内符号化した高速再生用データ（トリックプレイ：ＴＰデータ）を高速再生時のヘッドの走査軌跡に応じた位置に記録するよう、ＭＰＥＧ符号化データ中にＴＰデータを多重して記録している。ＴＰデータは、大体１〜２Ｍｂｐｓ程度のビットレートで記録される。
【特許文献１】特開２００４−１５４５７
【発明の開示】
【発明が解決しようとする課題】
【０００６】
前述の様に、ＨＤ画像データが記録されたテープを、ＳＤフォーマットの画像データのみ再生可能な装置で再生しようとした場合、ＨＤデータを全く再生できないことになる。
【０００７】
そのため、ユーザはこのテープにＨＤデータが記録されていることを認識できず、ＨＤデータを上書きしてしまう可能性もあった。
【０００８】
本発明はこの様な問題を解決し、標準解像度のフレーム内符号化データのみを再生可能な装置であっても、高解像度のフォーマットで記録されたデータが記録されていることを容易に認識可能とすることを目的とする。
【課題を解決するための手段】
【０００９】
本発明においては、第１の解像度の動画像データを画面内符号化のみを用いて符号化した第１の画像データ列と、前記第１の解像度よりも高い第２の解像度の動画像データを画面内符号化と画面間符号化とにより符号化した通常再生用データと前記通常再生用データの一部の画面を画面内符号化のみにより符号化した高速再生用データとからなる第２の画像データ列とが記録された記録媒体より、前記第１の画像データ列と第２の画像データ列とを再生する再生手段と、画面内符号化された動画像データを復号する復号手段と、前記第２の解像度の画像データを第１の解像度の画像データに変換する変換手段と、前記再生手段により再生された前記第１の画像データ列を前記復号手段により復号して出力する第１の再生モードと、前記再生手段により再生された前記第２の画像データ列から前記高速再生用データを抽出して前記復号手段により復号し、前記復号した高速再生用データの解像度を前記変換手段により前記第１の解像度に変換して出力する第２の再生モードと切り替えるモード切り替え手段とを備える。
【発明の効果】
【００１０】
本発明によれば、高解像度の画像データが記録されていることを容易に認識することができる。
【発明を実施するための最良の形態】
【００１１】
図１に、本発明の第一の実施例を示す。
【００１２】
本形態においては、記録時の構成については不問であり、ＡＴＶ／ＤＢＶ規格に準拠したフォーマットで既記録されたテープを対象とし、ＭＰＥＧ２規格で符号化されて記録されたデータの再生処理についてのみ言及する。
【００１３】
１０７はテープフォーマットアナライザであり、テープがＤＶフォーマットにて記録されたものか、ＨＤ記録されたものかの判別を行う。具体的には、ＩＴＩデータ中のアプリケーションＩＤを検査して判別する。図６にアプリケーションＩＤの一覧を載せる。具体的には、３ビットの識別子のうち、ＡＰ２２＝０，ＡＰ２１＝０，ＡＰ２０＝０のときがＳＤ記録、ＡＰ２２＝０，ＡＰ２１＝０，ＡＰ２０＝１のときがＨＤ記録と識別される。１０８はデマルチプレクサであり、ＨＤモードと判定されたときにのみ、ＴＰデータ内の、多重化されたＭＰＥＧ２ＴＳストリームをオーディオ・ビデオの各エレメンタリーストリーム（ＥＳ）まで弁別する。
【００１４】
１０６はＤＶ／ＨＤビデオデコーダである。ＤＶフォーマット記録であると判断された場合には、通常のＤＶデコード処理が行われる。
【００１５】
一方、ＨＤ記録と判断された場合には、ＴＰデータを検出するため、早送り動作が開始される。また、１０２の表示部に、ＨＤ記録を検出し早送りモードに移行したゆえが表示される。取得されたＴＰデータは、適宜エラー誤り補正が行われたのち、１０６のＤＶ／ＨＤビデオデコーダに入力される。ＨＤモードの場合は、以下のような処理が行われる。
【００１６】
図２に、ＤＶ／ＨＤデコーダのより詳細な構造を記す。
【００１７】
ＤＶデータ再生の場合はそのままデコード処理が行われる。
【００１８】
２０４はＤＶＣ−ＶＬＤ部であり、ＤＶＣデータ用の可変長復号処理が行われる。２０７はＤＶ／ＨＤブロックデコード処理部を構成し、逆ＤＣＴ２０１、逆量子化２０２、逆ジグザグ変換ブロック２０３で構成される。
【００１９】
一方、２０５はＨＤ−ＶＬＤ部であり、ＭＰＥＧ２の可変長復号化を行う。可変長復号済みデータは、ＤＶＣモード時と同じく、ＤＶ／ＨＤブロックデコード部に送られる。
【００２０】
実際には、ブロックデコード部も、ＤＶモードおよびＨＤモード（ＭＰＥＧ２）では処理の詳細が異なるのでまったく同じ動作とはならない。
【００２１】
具体的には、輝度・色差の間引きの仕方、逆ＤＣＴ処理でのフィールド画像の扱い方、逆量子化手法などである。
【００２２】
ここで、着目すべきは、両方ともフレーム内符号を処理するだけで充分であるので、ブロックの共通化が図りやすい。また、動き補償処理というフレーム間復号化において必須であり、しかも、最も処理が煩雑で、ハードウェア規模が大きい処理が不要であるので、ＤＶＣ再生機能から容易に拡張可能であることが指摘される。
【００２３】
さらに、ＴＰデータは、平均ビットレートが低い（概ね１〜２  Ｍｂｐｓ程度）ので、ＨＤ画像であっても、それほど高いデコード能力が必要ではないという利点がある。従って、ＤＶのリソースでも充分に処理可能である。具体的には、ビットレートが低い場合は、フレームレートが低く再生されることになるので、単位フレームあたりの処理時間を長く設定できる。具体的には、１フレーム／秒程度のデコード能力でも充分と考えられる。
【００２４】
なお、通常再生用データにおいても図に示すＧＯＰ構造のごとく定期的にＩフレームが挿入されるので、このＩフレームを検知してデコード・再生することも可能ではある。
【００２５】
しかしながら、ＭＰＥＧ２ストリームとしてオーディオデータも多重化されているため、これを逆多重化しなければならない。また、たとえば図のＧＯＰ構造では、２フレーム／秒の間隔でＩフレームが挿入されるが、これをノーマル速度で再生するよりは、ＴＰデータをデコードして高速再生する方式のほうが、テープ内容の把握という点においてはメリットがある。
【００２６】
１０５は画像解像度変換部であり、ＨＤ画像をＳＤサイズに変換（縮小）し、ＳＤ解像度対応のモニタ装置でも表示できるように変換を行う。このとき、ＨＤ画像とＳＤ画像では、輝度・色差のサブサンプリング比も異なるので同時に変換を行う。具体的には、標準解像度のＤＶＣでは、４：１：１あるいは４：２：０サンプリング、ＨＤ解像度では、４：２：０サンプリングの画像を扱うので、これの相互変換を行う。
【００２７】
図３に、処理のフローチャートを載せる。
【００２８】
テープを挿入して再生が開始されると（Ｓ３０１）、まず、テープのＩＴＩ内のアプリケーションＩＤ情報が検査され（Ｓ３０２）、ＤＶ記録であった場合は、そのまま定速でＤＶＣデコード・再生が開始される（Ｓ３０２〜Ｓ３０７までの過程）。逆にＨＤ記録であると判断された場合には、必要に応じてそのゆえを表示したのち（Ｓ３０８）、高速サーチを開始しＴＰデータを取得する（Ｓ３１０）。
【００２９】
デマルチプレクスを行ってＩフレームのエレメンタリーストリームを抽出したのち、ＭＰＥＧ２の処理を行う（Ｓ３１１）。次に、標準解像度への変換（ダウンコンバート：Ｓ３１２）を行い、標準解像度のモニタに出力可能にする（Ｓ３１３）。
【００３０】
なお、ＡＴＶ／ＤＶＢ対応の規格上では、標準解像度サイズの画像データを、ＭＰＥＧ２ＴＳストリームとして伝送することも可能になっている（ＳＤモード）。この場合、ＮＰデータ、ＴＰデータともに標準解像度となるが、プログレッシブ記録を可能にしている。
【００３１】
この場合は、図１における、解像度変換（縮小）機能をバイパスすることによって処理が可能である。ＳＤモードの場合も、ＭＰＥＧ記録されたＴＰデータを抽出し、再生可能である。
【００３２】
この場合も、ＴＰデータに対して有効なビットレートはほぼ不変であるが、１フレームに必要なビット数が少なくなるため、ＴＰデータ再生のフレームレートは向上する可能性がある。
【図面の簡単な説明】
【００３３】
【図１】本発明が適用された再生装置の構成を示す図である。
【図２】図１におけるデコーダの構成を示す図である。
【図３】実施形態の再生動作を示すフローチャートである。
【図４】ＧＯＰ構造を示す図である。
【図１】
2005236643.tif 000003
【図２】
2005236643.tif 000004
【図３】
2005236643.tif 000005
【図４】
2005236643.tif 000006